(57)【要約】【課題】  揺動選別盤の揺動周期と、この揺動選別盤面上を移動する玄米や、もみの揺動周期は異なる。従って、揺動選別盤の揺動周期と同調して照明ランプを点滅点灯させると、この点灯によって可視状態になる籾の移動が激しくなり、視認性が悪くなる。【解決手段】  籾摺装置で摺出された摺出米を受けて揺動選別する揺動選別盤１の側辺部に沿って、玄米排出域Ａ、混合米排出域Ｂ、及び籾排出域Ｃ等の選別排出口２を有し、この選別排出口２部には、透明材からなり前記混合米を受けて流出案内する透明板３を設け、この透明板３の下側から上側へ向けて透過照明する照明ランプ４を、前記揺動選別盤１の揺動周期よりも低い周期で点滅させる。【選択図】  図１
2011011112.tif 000002
【特許請求の範囲】
【請求項１】
籾摺装置で摺出された摺出米を受けて揺動選別する揺動選別盤（１）の側辺部に沿って、玄米排出域（Ａ）、混合米排出域（Ｂ）、及び籾排出域（Ｃ）等の選別排出口（２）を有し、この選別排出口（２）部には、透明材からなり前記混合米を受けて流出案内する透明板（３）を設け、この透明板（３）の下側から上側へ向けて透過照明する照明ランプ（４）を、前記揺動選別盤（１）の揺動周期よりも低い周期で点滅させることを特徴とする籾摺米選別装置。
【請求項２】
前記照明ランプ（４）の周波数を変更調節可能に設けたことを特徴とする請求項１に記載の籾摺米選別装置。
【発明の詳細な説明】
【技術分野】
【０００１】
籾摺機の揺動選別盤における玄米と混合米との選別部において、玄米と混合米との間の選別状態を監視し易くし、仕切板による仕切調節を行い易くする。
【背景技術】
【０００２】
揺動選別盤を有する選別ケースの上側面に窓板を設け、この窓板の裏面にミラーフィルムを設けて、開閉角度を調節可能に設け、この選別ケース内には揺動選別盤の揺動と同期して点滅する照明ランプを設ける技術（例えば、特許文献１参照）が知られている。
【先行技術文献】
【特許文献】
【０００３】
【特許文献１】特開２００１ー２４６２７４号公報（第２頁、第３頁、図１）。
【発明の概要】
【発明が解決しようとする課題】
【０００４】
揺動選別盤による摺出米の揺動選別においては、玄米や籾が揺動によって流動しているため、例え、この選別部に照明具を設けて点灯しても、これら玄米と籾との混合状態を識別することが難しい。
【０００５】
又、揺動選別盤の揺動周期と、この揺動選別盤面上を移動する玄米や、もみの揺動周期は異なる。従って、揺動選別盤の揺動周期と同調して照明ランプを点滅点灯させると、この点灯によって可視状態になる籾の移動が激しくなり、視認性が悪くなる。
【課題を解決するための手段】
【０００６】
請求項１に記載の発明は、籾摺装置で摺出された摺出米を受けて揺動選別する揺動選別盤１の側辺部に沿って、玄米排出域Ａ、混合米排出域Ｂ、及び籾排出域Ｃ等の選別排出口２を有し、この選別排出口２部には、透明材からなり前記混合米を受けて流出案内する透明板３を設け、この透明板３の下側から上側へ向けて透過照明する照明ランプ４を、前記揺動選別盤１の揺動周期よりも低い周期で点滅させることを特徴とする籾摺米選別装置の構成とする。
【０００７】
籾摺装置で脱ぷされた籾出米は、この揺動選別盤１の上面を揺動選別されながら透明板３の上面を経て選別排出口２へ選別排出される。この揺動選別盤１は傾斜面に形成されて、供給される摺出米を玄米と籾とに揺動比重選別しながら、玄米を揺上げ側へ移動し、籾を揺下げ側へ移動して、これら玄米は選別排出口２の玄米排出域Ａへ、玄米と籾の混合された混合米は混合米排出域Ｂへ、又籾は籾排出域Ｃへ各々選別して流下排出される。このとき作業者がこれら選別状態を見るときは、前記照明ランプ４を点灯する。この照明ランプ４の点灯によって、透明板３の下側から上側へ向けて照明が透過されて、この透明板３上面を選別排出口２へ流動する玄米や、籾を下側から照射透過させる。このとき玄米はこの透過照明を透過し易く、吸収して略半透明の状態としての視覚を受け、籾は透過照明を通し難いため暗く略黒色の状態としての視覚を受ける。この結果、玄米の流れる状態、位置は見え難くなり、籾の流れる状態のみの識別を判然と行うことができる。従って、既に、これら玄米と混合米との流動境界位置が適正に決められているか、どうかの判定を容易に行うことがでる。
【０００８】
例えば、前記揺動選別盤１の揺動周期を約６０ＨＺで揺動駆動して場合に、この揺動選別盤１面上の玄米や籾の揺動周期が約３０ＨＺであるとすれば、前記透明版３を透過する透過照明ランプ４の点滅点灯を、この揺動周期（約３０ＨＺ）で出力させる。揺動選別盤１面の籾は、この揺動選別盤１の揺動周期よりも低い周期（約３０ＨＺ）で動くことによって、この低い周期で点灯される照明ランプ４の透過照明によって、透明板３上面の籾が静止した状態で認識できる。
【０００９】
請求項２に記載の発明は、前記照明ランプ（４）の周波数を変更調節可能に設ける。前記のように揺動選別盤１面上の籾等の揺動周期は、この揺動選別盤１の揺動周期よりも低いため、透明板３の下側から上側へ照射される透過照明ランプ４の周波数もこの籾等の揺動周期に合わせて低く設定する。しかしながら、揺動選別盤１面上を流下される玄米や、籾等は、流下量が異なる、品種や、水分量等の異なる場合が多く、画一的ではない。このため、これら籾量の変化や、品種、水分値等によって、最適の点灯周波数による照明度を得るように変更調節して、視認性を良好に維持する。
【発明の効果】
【００１０】
請求項１に記載の発明は、透明板３上面の籾等を透過照明する照明ランプ４を、揺動選別盤１上面の籾等の揺動に同期して点滅させるため、籾の流動が停止した状態に見えて、揺動選別盤１面上の籾の分布を確認し易く、視認性を容易にすることができる。
【００１１】
請求項２に記載の発明は、前記透明板３上面の籾等を透過照明する照明ランプ４の周波数を変更調節するため、玄米、籾の両や、品種、水分量等によって異なるよう揺動周期に応じた点灯周波数に設定して、視認性を良好に維持することができる。
【図面の簡単な説明】
【００１２】
【図１】籾摺機の摺出米揺動選別装置の斜視図。
【図２】その選別排出口部の側面図。
【図３】その透過照明部の正面図と、一部の平面図、側面図。
【図４】その選別カバーの透視窓部の斜視図と、この一部の平面図。
【図５】透明板の透過照明による玄米と、籾との分光反射スペクトルグラフ。
【図６】透過照明を面発光部材形態とする場合の平面図と、分解平面図、及び揺動選別盤部の斜視図。
【図７】揺動選別盤上面の照明点灯状態を示す斜視図。
【図８】照明ランプの電源回路図。
【図９】間歇照明回路図。
【図１０】摺出米の認識図。
【図１１】点灯周波数変更装置を設けた間歇照明回路図。
【発明を実施するための形態】
【００１３】
図面に基づいて、箱形の選別フレーム７の内側に多段枚数の揺動選別盤１を吊架して、モータの駆動によって揺動する。この揺動選別盤１は上面に凹凸を多数形成し、三次元的に傾斜させ、前後長手方向に対して横方向に、適宜の上下傾斜角度を有して往復揺動する。この各段の揺動選別盤１の前端側に選別排出口２を形成し、後端側に籾摺装置によって摺出されて摺出米を供給する摺出米供給口８を設ける。前端部の選別排出口２は、略揺動選別盤１の横幅方向の一杯にわたる形態とし、この一側端部にはこの選別排出口２が揺動選別盤１の横側端部にわたって形成される形態としている。そして、この前端部の混合米の選別排出される選別排出口２には、最上段の揺動選別盤１の前端面と同一面上に形成の透明板３を構成して、揺動選別盤１と一体的に揺動する形態である。この透明板３を介してのぞむ選別排出口２の中間部には玄米排出域Ａと、混合米排出域Ｂとの間の選別仕切位置を仕切る仕切板６を設け、この横側端部の選別排出口２は選別された籾を排出させる籾排出域Ｃとして設定する。このような選別排出口２の外周を覆う排出口ケース９を設けている。
【００１４】
前記揺動選別盤１を揺動することにより、各摺出米供給口８から供給される摺出米は、揺動選別盤１上面を前側の選別排出口２側へ流動する間に、揺上側へ移動されると比重の大きい玄米と、揺下側へ浮上流動される比重の軽い籾と、これらの間の玄米と籾との混合した状態の混合米とに選別分流されて、玄米は玄米排出域Ａへ流下し、混合米は混合米排出域Ｂへ流下し、籾は籾排出域Ｃへ流下して各々所定の籾摺、選別処理工程へ搬送処理される。このうち玄米排出域Ａと混合米排出域Ｂとの間の選別仕切位置に仕切板６を移動調節するため、前記排出口ケース９の前面にハンドル１０を設けて、このハンドル１０を横方向へ移動調節することによって玄米と混合米との間の選別仕切位置を決めることができる。
【００１５】
籾摺装置は、前記選別フレーム７の上方に搭載された形態にあって、この籾摺装置で摺出される摺出米を風選選別により籾殻を除去した摺出米（玄米と籾との混合した場合米）を、各揺動選別盤１の摺出米供給口８から供給する。
【００１６】
ここにおいて、この揺動選別装置は、籾摺装置で摺出された摺出米を受けて揺動選別する揺動選別盤１の側辺部に沿って、玄米排出域Ａ、混合米排出域Ｂ、及び籾排出域Ｃ等の選別排出口２を形成し、この選別排出口２部には、透明材からなり前記混合米を受けて流出案内する透明板３を設け、この透明板３の下側から上側へ向けて透過照明する照明ランプ４を設ける。籾摺装置で脱ぷされた籾出米は、この揺動選別盤１の上面を揺動選別されながら透明板３の上面を経て選別排出口２へ選別排出される。この揺動選別盤１は傾斜面に形成されて、供給される摺出米を玄米と籾とに揺動比重選別しながら、玄米を揺上げ側へ移動し、籾を揺下げ側へ移動して、これら玄米は選別排出口２の玄米排出域Ａへ、玄米と籾の混合された混合米は混合米排出域Ｂへ、又籾は排出域Ｃへ各々選別して流下排出される。このとき作業者がこれら選別状態を見るときは、前記照明ランプ４を点灯する。この照明ランプ４の点灯によって、透明板３の下側から上側へ向けて照明が透過されて、この透明板３上面を選別排出口２へ流動する玄米や、籾を下側から照射透過させる。このとき玄米はこの透過照明を透過し易く、吸収して略半透明の状態としての視覚を受け、籾は透過照明を通し難いため暗く略黒色の状態としての視覚を受ける。この結果、玄米の流れる状態、位置は見え難くなり、籾の流れる状態のみの識別を判然と行うことができる。従って、既に、これら玄米と混合米との流動境界位置が適正に決められているか、どうかの判定を容易に行うことがでる。
【００１７】
又、前記透明板３を赤色系照明の透過可能に設け、又は、照明ランプ４を赤色照明可能に設ける。前記のように揺動選別盤１によって揺動選別されて透明板３上面に流出される摺出米は、この下方の照明ランプ４による照明の透過を受けるが、この透明板３が赤色系の材質から構成されていたり、又は照明ランプ４が赤色照明である等によって、赤色照明を透過させることにより、玄米はこの赤色照明の吸収性が良く、前記半透明の状態を良好に維持する。又、籾はこの赤色の吸収性がないため、この透過照明を通し難いため暗く略黒色の状態としての視覚を受ける。
【００１８】
又、前記照明ランプ４は、選別排出口２の両端部の玄米排出域Ａ側と、籾排出域Ｃ側とに光源５を設けて、これらの間の混合米排出域Ｂの仕切板６部側へ向けて投光して照明する。選別排出口２の両側部側に位置する玄米排出域Ａや、籾排出域Ｃ側部の光源５から、これらの間の混合米排出域Ｂ側へ向けて投光することによって照明し、透明板３の下側から上側へ向けて透過照射するものであるから、この照明ランプ４の長手方向の両端間にわたる発光面の発光強度を安定させることができ、全長にわたって均一な透過照明を行わせることができる。しかも、選別排出口２の両端部の玄米排出域Ａ側端や、籾排出域Ｃ側端等は、光源５からの直接の投光照明を行わせないようにして、仕切板６の位置する玄米と混合米との流域境界部における透明板３に透明照明を集中させることによって、この仕切板６位置の玄米、籾の選別仕切位置を的確に判別させることができる。
【００１９】
又、前記透明板３の透過照明領域Ｐを仕切板６の略調節領域上部に設定する。前記照明ランプ４によって透明板３の下側から上側へ照射される透過照明によって、この透明板３上面を流れる籾の有、無を判別させるものであるから、この透明板上面の透過照明領域Ｐを、識別に必要な仕切板６の略調節領域部に限定することによって、この選別排出口２の両端部等の玄米や、籾等の一部の選別排出状況を見せないで、選別識別を容易に、的確に行わせる。
【００２０】
前記透明板３は、選別排出口２の玄米排出域Ａと混合米排出域Ｂとの間の選別仕切位置を中心として、この左右両側部の適宜幅域にわたる長さに設定し、これら玄米や混合米の流出を受けて、選別排出口２へ落下排出させる適宜の幅に設定する。この透明板３は、前記最上段に位置する揺動選別板１の前端縁部にのみ前側へ突出延長させる形態に設ける。下段の揺動選別盤１には設定しないで、この最上段揺動選別盤１面上を流下する玄米や、混合米等の選別仕切位置を見て下段部の各揺動選別盤１の選別状態を同じ状態として判定する。又、この透明板３は、照明ランプ４の上側を覆うように一体的構成することも可能である。
【００２１】
前記照明ランプ４は、透明板３の左右横端部にブラケット１１を有し、このブラケット１１の下側に光源５としてＬＥＤを取付け、この光源５を左右両側部から相互に相対向する側へ向けて投光することによって、透明板３の下側から上側面に向けて透過照明する。この照明ランプ４は、ガラス管１３の両端の投光管１２を、ブラケット１１部に固定するようにセットボルト１４で取付け、光源５によるガラス管１３への投光によって照明を発光する蛍光灯形態に構成している。この照明ランプ４の上側を覆う形態に透明板３を設け、揺動選別盤２上面から流下される玄米や混合米等をこの透明板３で受けて流下させる。
【００２２】
前記揺動選別盤１の上面を流下する摺出米は、揺動の揺上げ側に玄米が移動し、揺下げ側に籾が移動して、これら玄米層と籾層との間に混合米層が形成されて、各選別層の境界部に沿って選別ラインＬａ、Ｌｂを形成する。前記仕切板６は、この玄米層と混合米層との間の選別ラインＬａ部に位置させて、透明板３上面から選別排出口２へ排出落下される玄米、籾の仕切選別を行い、玄米に籾が混入しないように玄米選別を行うものである。この仕切板６はハンドル１０を排出口ケース９の調節穴１５に沿って横方向へ移動調節することによって玄米と、混合米との選別仕切位置を仕切ることができる。この排出口ケース９の仕切板６の調節域には、透明カバー１６を形成して、排出口内部を透視し易く構成している。又、前記選別フレーム７の上側部には、揺動選別盤１の上面、乃至選別排出口２の上面に対向して覆う選別カバー１７を設け、この選別カバー１７の選別排出口２部上に透明窓１８を形成して、作業者がこれら最上側の揺動選別盤１面や、選別排出口２部を透視できる構成としている。
【００２３】
前記透明ランプ４による透過照明は、赤色系照明である場合がより有効である。玄米は赤色の吸収性が良好で、玄米を透光することによりこの玄米の姿が見難くなる。又、籾は、赤色を吸収しないため、籾の姿が黒く見えて、籾の判別が容易となる。図５は籾と玄米の分光反射スペクトルを示すグラフであるが、玄米と籾では、照明波長Ｍが可視光線領域Ｍａであっても、近い赤外線領域Ｍｂであっても、赤色照明の吸光度Ｐが相異して、玄米による赤色照明の吸光度Ｐが高い場合Ａ、Ｂが多い。このような赤色照明を発光するために、前記光源５を赤色ランプ等や、赤外線ランプ等を使用したり、透明板３を赤色に構成したり、透明板３の下面、又は上面に赤フィルムを敷設する等によって、この透明板３を透過する照明を赤色として、この上面を流下する玄米や籾を赤色照明する形態とすることができる。
【００２４】
前記透過照明４は、図６のように透明材のガラス板や、樹脂板等からなる面発光部材２０を用いて透明板３とし、一側端部に設ける光源５からの面発光部材２０の方向に沿う投光によって、この面発光部材２０から透過照明を照射させて、この面発光部材２０の上面を流れる玄米や籾の判別を行わせる形態としている。２１は光源５部を覆うホルダーである。このような面発光部材２０による透過照明によって、玄米や籾等の透過明度が明度グラフＧとして記録化することができ、玄米排出域Ａ、混合米排出域Ｂ、及び籾排出域Ｃ等を検出して選別することができる。又、この玄米層内に籾Ｃが混入しているときは、明度が局部的に低下Ｇ１するめ、籾の混入を知ることができる。
【００２５】
前記揺動選別盤１上方の選別カバー１７内には照明ランプ１９を設けて、この照明ランプ１９の点灯によって、揺動選別盤１面上の摺出米を反射照明によって見易くする。又、この反射照明用の照明ランプ１９と、前記選別排出口２部の透明板３下側の照明ランプ４とを、切替スイッチ２２によって切替点灯する構成とすることも可能である。透明板３上面を流下する玄米や籾の透過照明中に照明ランプ１９による反射照明を行うと、籾と玄米との透過光量差が小さくなり、籾の識別性が低下するため、揺動選別盤１面全体を見たい場合は、この照明ランプ１９を点灯させて反射照明させると共に、照明ランプ４を消灯して、下方からの照明を消して見易くする。又、透明板３上面の籾の混入状態を見たいときは、照明ランプ４を消灯して透過照明させると共に、照明ランプ１９を消灯する。これによって、両照明ランプ４、１９を同時に点灯することがないようにして、的確、容易な照明を行わせるものである。
【００２６】
前記選別カバー１７には透明窓１８を設け、排出口ケース９には透明カバー１６を設けるが、これらの透明窓１８、又は透明カバー１６の一部に拡大レンズを設けて、仕切板６の調節される透明板３上面の仕切位置を見易くすることができる。又、透明板３上面の籾を透過照明によって識別させる場合に、反射光が存在すると、籾の視認性が低下し易い。このため、前記透明窓１８、又は透明カバー１６等に、マジックミラー、又はマジックミラー機能を有するマジックミラーフィルム等の貼付して、透過照明ランプ４からの照明のみを透過させて、揺動選別盤１上面や、選別排出口２部等の視認環境をよくして、明るい環境においても、籾の視認性を低下させないようにすることができる。
【００２７】
又、前記透過用照明ランプ４の電源として、ＡＣ電源（例えば、コントローラ３０用の電源）、又は、コントローラ３０内のＤＣ電源を電源とすることができる（図８）。制御用コントローラを有する籾摺機は、コンセント３１のＡＣ２００Ｖを降圧してコントローラ３０電源として用いる。そこで、この二次側の交流電圧（ＤＣ１２Ｖ）３２を用いるもので、発光装置用の電源基板等が不要となり、低コスト化を図ることができる。
【００２８】
図９、図１０において、２６は発振部、２７はＬＥＤ照明で、間歇照明回路２８を構成する。
搖動選別盤１の揺動周期（例えば、６０ＨＺ）に対して、このよう同選別盤１上面の摺出米の揺動周期は短く（例えば、この略半分の３０ＨＺ）なるため、前記透明板３の下側で点灯する照明ランプ４の間歇点滅点灯を、この摺出米の揺動周期（３０ＨＺ）で行わせるように構成して、摺出米を静止に近い状態で認識できるため、揺動選別盤１上面の籾の分布を確認し易くなる。このため、玄米Ａは半透明として認識し難く、籾Ｃは黒色を呈して認識し易くなり、籾の選別仕切位置を視認し易くなる。
【００２９】
又、図１１においては、前記間歇照明回路２８に、点灯周波数変更装置２９を設けたものである。摺出米の揺動周期は、揺動選別盤１上の摺出米の量や、品種、水分値等によって変化するため、これらに応じて透過照明ランプ４の点灯周波数を任意に変更することが出きるため、籾の視認性を良好に維持できる。又、前記点灯周波数と共に、点灯時間をも変更する形態とすることができる。
【符号の説明】
【００３０】
１      揺動選別盤
２      選別排出口
３      透明板
４      照明ランプ
５      光源
６      仕切板
２６    発振部
２９    点灯周波数変更装置
Ａ      玄米排出域
Ｂ      混合米排出域
Ｃ      籾排出域
【図１】
2011011112.tif 000003
【図２】
2011011112.tif 000004
【図３】
2011011112.tif 000005
【図４】
2011011112.tif 000006
【図５】
2011011112.tif 000007
【図６】
2011011112.tif 000008
【図７】
2011011112.tif 000009
【図８】
2011011112.tif 000010
【図９】
2011011112.tif 000011
【図１０】
2011011112.tif 000012
【図１１】
2011011112.tif 000013